【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
異なる印刷対象物に印刷すべく構成されている第１のプリンタ部と第２のプリンタ部とを備えたプリンタ装置であって、
単一の印刷データにより前記第１のプリンタ部と前記第２のプリンタ部の両方を動作させて前記単一の印刷データの印刷を行なう制御手段を備えることを特徴とするプリンタ装置。
【請求項２】
前記制御手段は、前記第１のプリンタ部と前記第２のプリンタ部の印刷動作を並行して行なわせることを特徴とする請求項１に記載のプリンタ装置。
【請求項３】
前記制御手段は、前記第１のプリンタ部と前記第２のプリンタ部の印刷動作を順に続けて行なわせることを特徴とする請求項１に記載のプリンタ装置。
【請求項４】
前記第１のプリンタ部は、電子データを記録する記録媒体のレーベル面に印刷し、前記第２のプリンタ部は、前記記録媒体の収納ケースに貼り付けるラベルとして用いられる印刷媒体テープに印刷することを特徴とする請求項１ないし３のいずれかに記載のプリンタ装置。
【請求項５】
前記第１のプリンタ部と前記第２のプリンタ部とは印刷方式が異なることを特徴とする請求項１ないし４のいずれかに記載のプリンタ装置。
【請求項６】
予め定められた複数の入力項目のうちの少なくとも１つ以上の特定の入力項目の組合せに対応してその特定の入力項目の印刷書式を定める複数の印刷フォーマットデータを予め記憶する印刷フォーマット記憶手段と、
前記複数の入力項目の夫々にデータ入力が可能な入力手段と、
前記複数の印刷フォーマットデータの中から前記入力手段からデータ入力された特定の入力項目に対応する印刷フォーマットデータを選択する印刷フォーマット選択手段とを備え、
前記制御手段は、前記第１のプリンタ部と前記第２のプリンタ部を制御して前記印刷フォーマット選択手段により選択された印刷フォーマットデータに従って前記入力手段から入力されたデータを印刷対象物に印刷するように構成されていることを特徴とする請求項１ないし５のいずれかに記載のプリンタ装置。
【請求項７】
前記複数の入力項目は、データ入力が必須の少なくとも１つの必須入力項目と、データ入力が任意の少なくとも１つの任意入力項目とで構成されていることを特徴とする請求項６に記載のプリンタ装置。
【手続補正２】
【補正対象書類名】明細書
【補正対象項目名】００１３
【補正方法】変更
【補正の内容】
【００１３】
請求項１の発明は、異なる印刷対象物に印刷すべく構成されている第１のプリンタ部と第２のプリンタ部とを備えたプリンタ装置であって、その両プリンタ部に共通する単一の印刷データにより第１のプリンタ部と第２のプリンタ部の両方を動作させて前記単一の印刷データの印刷を行なう制御手段を備えることを特徴としている。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項４の発明は、前記第１のプリンタ部が、電子データを記録する記録媒体のレーベル面に印刷し、前記第２のプリンタ部が、前記記録媒体の収納ケースに貼り付けるラベルとして用いられる印刷媒体テープに印刷することを特徴としている。
【手続補正６】
【補正対象書類名】明細書
【補正対象項目名】００１９
【補正方法】変更
【補正の内容】
【００１９】
請求項５の発明は、前記第１のプリンタ部と前記第２のプリンタ部との印刷方式が異なることを特徴としている。
【手続補正７】
【補正対象書類名】明細書
【補正対象項目名】００２０
【補正方法】変更
【補正の内容】
【００２０】
請求項６の発明は、予め定められた複数の入力項目のうちの少なくとも１つ以上の特定の入力項目の組合せに対応してその特定の入力項目の印刷書式を定める複数の印刷フォーマットデータを予め記憶する印刷フォーマット記憶手段と、前記複数の入力項目の夫々にデータ入力が可能な入力手段と、前記複数の印刷フォーマットデータの中から前記入力手段からデータ入力された特定の入力項目に対応する印刷フォーマットデータを選択する印刷フォーマット選択手段とを備え、前記制御手段が、前記第１のプリンタ部と前記第２のプリンタ部を制御して前記印刷フォーマット選択手段により選択された印刷フォーマットデータに従って前記入力手段から入力されたデータを印刷対象物に印刷するように構成されていることを特徴としている。なお、請求項６の発明は、前記第１のプリンタ部と前記第２のプリンタ部の２つのプリンタ機能を有するプリンタ装置に限らず、通常の１つのプリンタ機能を有するプリンタ装置に、前記印刷フォーマット記憶手段、前記入力手段及び前記印刷フォーマット選択手段を備えてなる印刷フォーマット選択機能を適用することもできる。
【手続補正８】
【補正対象書類名】明細書
【補正対象項目名】００２１
【補正方法】変更
【補正の内容】
【００２１】
また、請求項７の発明は、請求項６の発明において、前記複数の入力項目は、データ入力が必須の少なくとも１つの必須入力項目と、データ入力が任意の少なくとも１つの任意入力項目とで構成されていることを特徴としている。
【手続補正９】
【補正対象書類名】明細書
【補正対象項目名】００２２
【補正方法】変更
【補正の内容】
【００２２】
請求項１の発明によれば、１台のプリンタ装置を用いて、単一の印刷データによりその装置が備える両プリンタ部で異なる２つの印刷対象物に単一内容の文字列等を印刷することができる。このため２台のプリンタ装置を準備する必要がなく、また両プリンタ部の印刷に用いる印刷データは共通する単一のデータであることから、そのデータ入力は１回の入力で済ませることができ、このためデータの入力などの印刷を行なうための操作が簡単となり、ユーザーの作業時間を短くすることができる。また従来のように、２台のプリンタに対応してデータ入力する場合には相互で一致しないというミスが生じることがあるが、単一の印刷データを１回入力するだけでよいから、そのような入力ミスも防ぐことができる。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
請求項４の発明によれば、互いに関連する記録媒体とその収納ケースに貼り付けるためのラベルへの印刷を効率よく短時間に行なうことができる。
【手続補正１４】
【補正対象書類名】明細書
【補正対象項目名】００２９
【補正方法】変更
【補正の内容】
【００２９】
請求項５の発明によれば、第１のプリンタ部と第２のプリンタ部は互いに印刷方式が異なる場合にも適用することができる。
【手続補正１５】
【補正対象書類名】明細書
【補正対象項目名】００３０
【補正方法】変更
【補正の内容】
【００３０】
請求項６の発明によれば、予め定められた複数の入力項目に対してユーザーが特定の入力項目について入力を行なうと、その特定の入力項目に対応する印刷フォーマットが複数の印刷フォーマットの中から自動的に選択されるので、ユーザーによる面倒な印刷フォーマットの選択作業をなくして誰でも容易に印刷すべきデータに最も適応した印刷結果を得ることができる。
【手続補正１６】
【補正対象書類名】明細書
【補正対象項目名】００３１
【補正方法】変更
【補正の内容】
【００３１】
請求項７の発明によれば、前記複数の入力項目として、必須の入力項目を設けているため、データが入力されずに印刷を行なうミスを防ぎ、また、必須の入力項目に加えて任意の入力項目を設けているため、これらの入力項目の組合せにより異なる様々な態様の印刷結果を得ることができる。